(57)【要約】【課題】密閉型圧縮機のピストンに関し、特に低速運転の振動を低減する。【解決手段】密閉容器１０２内に商用電源周波数未満の回転数を含む複数の回転数で運転する電動要素２０６と、電動要素２０６によって駆動する圧縮要素２０８とを収容し、圧縮要素２０８はシリンダー１４２内を往復動するピストン２５０を備え、ピストン２５０は少なくとも一部が樹脂によって形成されることにより、ピストン２５０を軽量化し、ピストン２５０の往復動に伴う加振力を低減し、特に低速運転における振動を低減することができる。【選択図】図１
2005133684.tif 000002
【特許請求の範囲】
【請求項１】
密閉容器内に商用電源周波数未満の回転数を含む複数の回転数で運転する電動要素と、前記電動要素によって駆動する圧縮要素とを収容し、前記圧縮要素は主軸および偏心軸を備えたクランクシャフトと、前記クランクシャフトを回転自在に軸支するとともにシリンダーを形成するシリンダーブロックと、前記シリンダー内を往復動するピストンと、前記偏心軸と前記ピストンを連結する連結手段を備え、前記ピストンは少なくとも一部が樹脂によって形成される密閉型圧縮機。
【請求項２】
２０ｒ／ｓｅｃ未満の回転数を含む請求項１に記載の密閉型圧縮機。
【請求項３】
最低回転数に対する最高回転数の比が３以上である請求項１または２に記載の密閉型圧縮機。
【請求項４】
圧縮する冷媒がＲ６００ａである請求項１から３のいずれか１項に記載の密閉型圧縮機。
【請求項５】
ピストンリングを用いた請求項１から４のいずれか１項に記載の密閉型圧縮機。
【請求項６】
ピストンリングは樹脂製である請求項５に記載の密閉型圧縮機。
【請求項７】
ピストンリングはＰＴＦＥを含む樹脂製である請求項６に記載の密閉型圧縮機。
【請求項８】
ピストンリングはＰＥＥＫあるいはＰＰＳを含む樹脂製である請求項６に記載の密閉型圧縮機。
【請求項９】
ピストンは樹脂を発泡成形した請求項１から８のいずれか１項に記載の密閉型圧縮機。
【請求項１０】
発泡成形によって得られる気泡径を５０マイクロメートル以下とした請求項９に記載の密閉型圧縮機。
【発明の詳細な説明】
【技術分野】
【０００１】
本発明は電気冷蔵庫やその他の冷凍サイクル装置等に使用されるインバーター制御方式の密閉型圧縮機に関するものである。
【背景技術】
【０００２】
近年、冷蔵庫やその他の冷凍サイクル装置等において、低振動化の必要性が高まっている。
【０００３】
特に、インバーター制御により運転回転数を可変速する方式の往復動式の密閉型圧縮機においては、低速回転により消費電力を低減することができる反面、低速運転時の振動が大きくなることが課題となっている。
【０００４】
従来の密閉型圧縮機としては、Ｒ６００ａを主体とする冷媒を用い、かつ振動が小さくするための改善をしたものがある（例えば、特許文献１参照）。
【０００５】
以下、図７から図８を参照しながら、上記従来の密閉型圧縮機について説明する。
【０００６】
図７は従来の密閉型圧縮機の側面図である。
【０００７】
図７において、密閉容器１０２内には、下方に配置された電動要素１０６と、上方に配置された圧縮要素１０８を一体化した電動圧縮要素１１０が、サスペンションスプリング１１２を介して支持されて収容される。また、この密閉型圧縮機は温暖化係数の低い炭化水素系冷媒であるＲ６００ａを圧縮する。
【０００８】
電動要素１０６は、永久磁石を内蔵するロータ１２０と、ステータ１２２で構成されている。
【０００９】
次に圧縮要素１０８の詳細を以下に説明する。
【００１０】
クランクシャフト１３０は、ロータ１２０を圧入固定した主軸１３２および主軸１３２に対し偏心して形成された偏心軸１３４を有するとともに、バランスウェイト部１３６を主軸１３２と偏心軸１３４の間に有している。
【００１１】
シリンダーブロック１４０は、略円筒形のシリンダー１４２を有するとともに主軸１３２を軸支する軸受部１４４を有し、電動要素１０６の上方に形成されている。
【００１２】
ピストン１５０は、鉄などの金属で形成され、シリンダー１４２に往復動自在に挿入される。また、ピストン１５０は偏心軸１３４との間を連結手段１５２によって連結されている。
【００１３】
バランスウェイト１６０は、鉄板を積層して形成され、ロータ１２０の上面に固定される。バルブプレート１６２は、シリンダー１４２の端面１４２ａに、高圧室を形成するシリンダヘッド１６４、ＰＢＴなどの樹脂で成型される吸入マフラー１６６と共に取り付けられている。
【００１４】
サスペンションスプリング１１２は、図７の断面を中心に４箇所に設けてあり、密閉容器１０２に固定されたスナブバー１７０および電動要素１０６のステータ１２２に固定されたスナブバー１７２の間に嵌装されている。
【００１５】
密閉容器１０２には、ハーメチックターミナル１７４や吸入管１７６、吐出管１７８が溶接等により固定されている。吸入管１７６と吐出管１７８は冷却システムの低圧側と高圧側（図示せず）にそれぞれ接続されている。
【００１６】
インバーター装置１８０は、ハーメチックターミナル１７４を介して、ステータ１２２と接続される。インバーター装置１８０をコントロールする制御回路１８２は、商用電源１８４に接続されている。
【００１７】
なお、一般に密閉型圧縮機の消費電力は運転周波数が低いほど小さくなるが、同時に冷凍能力も低下する。また一方で、周囲温度などの条件によって必要な冷凍能力は変化するため、適切な運転周波数も変化する。このため、インバーター装置は商用電源の周波数に対しその半分程度から商用電源の周波数を超える程度までの間で複数の出力周波数が予め設定され、例えば周囲温度などに基づいて必要な冷凍能力に応じた適切な出力周波数を選択する。
【００１８】
以上のように構成された密閉型圧縮機について、以下その動作を説明する。
【００１９】
商用電源１８４から供給される電力は制御回路１８２、インバーター装置１８０を介して電動要素１０６に供給され、ロータ１２０を所定の回転数で回転させる。ロータ１２０はクランクシャフト１３０を回転させ、偏心軸１３４の偏心運動が連結手段１５２を介してピストン１５０に伝えられることで、ピストン１５０はシリンダー１４２内を往復運動する。
【００２０】
冷媒ガスは、冷却システム（図示せず）から吸入管１７６を通して密閉容器１０２内に導かれた後、吸入マフラー１６６から吸入され、シリンダー１４２内で連続して圧縮され、吐出管１７８より冷却システムへ再び吐き出される。
【００２１】
またこの際、ピストン１５０がシリンダー１４２内で往復運動することで不平衡な振動エネルギーが発生するが、この振動エネルギーをバランスウェイト部１３６およびバランスウェイト１６０によって打ち消している。
【特許文献１】特開２００３−３９５８号公報
【発明の開示】
【発明が解決しようとする課題】
【００２２】
しかしながら、上記従来の構成のような単気筒の圧縮機では、往復運動による振動をバランスウェイトで完全に打ち消すことは不可能である。この理由を以下に説明する。
【００２３】
ピストン１５０の往復運動の反作用として発生する慣性力の方向は一定で、正負に変化するのみであるのに対し、バランスウェイト部１３６、バランスウエイト１６０に作用する遠心力の方向は、バランスウェイト部１３６、バランスウエイト１６０の回転に伴い常に回転している。従って、上死点および下死点では、遠心力はピストン１５０の慣性力と反対向きに作用し、電動圧縮要素への加振力を小さくするように作用する。ところが上死点と下死点以外の位置では、慣性力と遠心力のベクトルの方向は異なるため、慣性力と遠心力を足し合わせてもいずれかの方向に不釣合いを生じる。
【００２４】
このように振動の発生が避けられない上に、冷媒Ｒ６００ａを用いた密閉型圧縮機においては、冷媒物性の違いにより冷媒Ｒ１３４ａを用いた圧縮機に比べ同等の冷凍能力を実現するために概ね２倍の気筒容積が必要となるため、偏心軸１３４の偏心量やピストン１５０の外径が、冷媒Ｒ１３４ａを用いた密閉型圧縮機に比べて拡大されている。この結果、ピストン１５０の質量の増加やピストン１５０の振幅が増加することで、往復運動によって発生する振動エネルギーも大きくなる。
【００２５】
しかも、近年の冷蔵庫が断熱性能の向上に伴い、密閉型圧縮機の低回転化による省エネ効果がますます大きくなってきているにもかかわらず、２０ｒ／ｓｅｃ未満といった低速運転を行うと、一般的な冷蔵庫用の密閉型圧縮機では、密閉型圧縮機の振動が急激に増加してしまい、密閉型圧縮機の低回転化による省エネ効果を得る上での大きな課題になっていた。以下、その内容について説明する。
【００２６】
図８に、運転周波数に対する密閉型圧縮機の振動特性を示している。図８は横軸に運転周波数を、縦軸に密閉容器のピストン１５０の往復方向の振幅を示しており、この結果からは運転周波数が低くなるほど、振幅が増加し、２７Ｈｚ周辺では４０マイクロメートル以下の振幅であるにもかかわらず、１５Ｈｚ以下では急激に振幅が大きくなり１００マイクロメートルを上回っていることが分かる。以下、その理由について詳述する。
【００２７】
密閉容器１０２内に固定されたサスペンションスプリング１１２およびこれによって支持される電動圧縮要素１１０の振動系は、サスペンションスプリング１１２のバネ定数と電動圧縮要素１１０の質量の関係から固有振動数を持つ。バネ定数が小さいほど振動を伝えにくくなるが、サスペンションスプリング１１２に要求される剛性との関係等である程度の剛性が必要となり、通常、固有振動数は本背景技術同様、概ね１０Ｈｚ前後であることが多い。
【００２８】
すなわち、図８において１５Ｈｚ以下で急激に振幅が大きくなっているのは、電動圧縮要素１１０の運転周波数が電動圧縮要素１１０とサスペンションスプリング１１２からなる振動系の固有振動数に近づいてくるために、電動圧縮要素１１０の振動がサスペンションスプリング１１２を介して密閉容器１０２に伝わりやすくなってくるためである。
【００２９】
本発明は上記従来の課題を解決するもので、低速運転における振動を低減した密閉型圧縮機を提供することを目的とする。
【課題を解決するための手段】
【００３０】
上記従来の課題を解決するために、本発明の密閉型圧縮機は、シリンダーを形成するシリンダーブロックと、シリンダー内を往復動するピストンとを備え、ピストンは少なくとも一部が樹脂を用いて形成されたものであり、ピストンを軽量化することで往復振動による加振力を軽減するという作用を有する。
【発明の効果】
【００３１】
本発明の密閉型圧縮機は、低速運転における振動を低減した密閉型圧縮機を提供することができる。
【発明を実施するための最良の形態】
【００３２】
本発明の請求項１に記載の発明は、密閉容器内に商用電源周波数未満の回転数を含む複数の回転数で運転する電動要素と、前記電動要素によって駆動する圧縮要素とを収容し、前記圧縮要素は主軸および偏心軸を備えたクランクシャフトと、前記クランクシャフトを回転自在に軸支するとともにシリンダーを形成するシリンダーブロックと、前記シリンダー内を往復動するピストンと、前記偏心軸と前記ピストンを連結する連結手段を備え、前記ピストンは少なくとも一部が樹脂によって形成したもので、比重の小さい樹脂を用いることでピストンが軽量化され、ピストンの往復動による加振力が小さくなるため、振動を低減することができ、特に低速運転における振動を低減することができる。
【００３３】
請求項２に記載の発明は、請求項１に記載の発明に、さらに２０ｒ／ｓｅｃ未満の回転数を含むもので、回転数を低くすることで摺動損失が小さくなるため、請求項１に記載の発明の効果に加えて、入力を低減して高い効率を得ることができる。
【００３４】
請求項３に記載の発明は、請求項１または２に記載の発明に、さらに最低回転数に対する最高回転数の比が３以上としたもので、負荷の大きい条件では高速運転するため、請求項１および２の発明の効果に加えて、高速運転により高い冷凍能力を実現し、高い冷凍能力が必要な高負荷時にも必要な冷凍能力が得ることができ、冷却サイクルの負荷変動に対応することができる。
【００３５】
請求項４に記載の発明は、請求項１から３のいずれか１項に記載の発明に、さらに圧縮する冷媒をＲ６００ａとしたもので、冷媒特性の違いによりＲ１３４ａ冷媒に比べピストンの外径や振幅が大きくなっても、比重の小さい樹脂を用いることでピストンが軽量化され、ピストンの往復動による加振力が小さくなるため、請求項１から３の発明の効果に加えて、ピストンの外径や振幅が大きく気筒容積が大きくなっても、振動を低減することができる。
【００３６】
請求項５に記載の発明は、請求項１から４のいずれか１項に記載の発明に、さらにピストンリングを用いたものであり、ピストンとシリンダーの材料の線膨張係数の差のために、運転に伴う温度変化でピストンとシリンダーの半径方向の隙間に変化が生じても、ピストンリングがピストンとシリンダーの間の気密を保持するため、請求項１から４に記載の発明の効果に加えて、シリンダー内で圧縮した冷媒ガスがピストン背面へ漏洩することを防止でき、高い効率を得ることができる。
【００３７】
請求項６に記載の発明は、請求項５に記載の発明のピストンリングを樹脂製としたものであり、ピストンリングとピストンを樹脂同士の組み合わせとすることで、ピストンリングとピストンの硬さの差が、金属製のピストンリングの場合と比べて小さくなるため、請求項５に記載の発明の効果に加えて、ピストンリングとの接触によりピストンが一方的に摩耗することを防止し、高い信頼性を得ることができる。
【００３８】
請求項７に記載の発明は、請求項６に記載の発明のピストンリングを、ＰＴＦＥを含む樹脂製としたものであり、ＰＴＦＥはシリンダーの材料である鉄やアルミとの摺動において摩擦係数が小さくなるため、請求項６に記載の発明の効果に加えて、ピストンリングとシリンダーの間の摺動損失を低減し、高い効率を得ることができる。
【００３９】
請求項８に記載の発明は、請求項６に記載の発明のピストンリングをＰＥＥＫあるいはＰＰＳを含む樹脂製としたものであり、ＰＥＥＫやＰＰＳは耐摩耗性が高い上に、射出成型が可能であるため、請求項６に記載の発明の効果に加えて、耐摩耗性が向上して信頼性を高めることができるとともに、容易に生産することができる。
【００４０】
請求項９に記載の発明は、請求項１から８のいずれか１項に記載の発明のピストンは樹脂を発泡成形したものであり、気泡の部分は中が空洞であるのでピストンの重量が軽くなるとともに、発泡成形時のガス圧力により射出成型時のヒケやソリが少なくなるため、請求項１から８に記載の発明の効果に加えて、さらに軽量化して振動低減効果が向上するとともに、高い寸法精度を得ることができる。
【００４１】
請求項１０に記載の発明は、請求項９に記載の発明に、さらに発泡成形によって得られる気泡径を５０マイクロメートル以下としたものであり、気泡径が小さくなることで局所的に極端に強度が低下することがなくなるので、発泡倍率を高くできるとともに、薄肉部でも気泡が発生するため、強度を確保しながらさらにピストンの軽量化が可能になり、請求項９に記載の発明の効果に加えて、低速運転における振動をさらに低減することができる。
【００４２】
以下、本発明の実施の形態について、図面を参照しながら説明する。なお、この実施の形態によってこの発明が限定されるものではない。また、従来と同一構成については、同一符号を付して詳細な説明を省略する。
【００４３】
（実施の形態１）
図１は本発明の実施の形態１による密閉型圧縮機の側面図、図２は同実施の形態によるピストンとピストンリングの分解斜視図、図３はピストンリングの周辺を示す要部断面図、図４は同実施の形態によるピストンの断面の拡大図である。また、図５は密閉型圧縮機の振幅の特性図である。
【００４４】
図１から図４において、密閉容器１０２内には、下方に配置された電動要素２０６と上方に配置された圧縮要素２０８を一体化した電動圧縮要素２１０が、サスペンションスプリング１１２を介して支持されて収容される。
【００４５】
クランクシャフト２３０は、ロータ１２０を圧入固定した主軸２３２、および主軸２３２に対し偏心して形成された偏心軸２３４を有している。また、偏心軸２３４の上端には、バランスウェイト２３８が取り付けられている。
【００４６】
ピストン２５０は、ＰＢＴ（ポリブチレンテレフタレート）やＰＥＥＫ（ポリエーテルエーテルケトン）、ＰＰＳ（ポリフェニレンサルファイド）などの耐油、耐冷媒で耐熱温度の高い合成樹脂で形成される。また、超臨界発泡成形（概要は後述）により成形されており、ピストン２５０のほぼ全体にわたり気泡径１〜５０マイクロメートルの微細な気泡が内在している。ここで、超臨界発泡成形プロセスにより形成される気泡２５１は１０9〜１０15ｃｅｌｌｓ／ｃｍ3程度の高密度で形成されるため、発泡を行わない場合と比較し２０％程度以上軽量化を図ることが可能である。なお、気泡２５１はピストン２５０内部に形成され、図示していないがピストン２５０の表面は気泡２５１が存在しないスキン層で覆われている。
【００４７】
ところで、超臨界発泡成形の概要を以下に説明する。
【００４８】
樹脂原料と超臨状態の発泡剤が金型に射出されて成形されるものであり、金型への注入時に起こる急激な体積変化や温度変化により超臨界状態の発泡剤がガス化することにより気泡が形成される。そして、樹脂原料や発泡剤の射出量や射出温度および金型の温度などを調節して、成形時の温度と圧力をコントロールすることにより、発泡樹脂の気泡密度や気泡径を任意に調整することができる。さらに、成形時に、気泡の成形圧力により樹脂内部から金型に向かって圧力がかかるため、金型近傍の樹脂材料は金型に押し付けられ、気泡が形成されないスキン層ができることとなる。
【００４９】
また、ピストンリング２５４，２５６は、それぞれ円周上の１箇所に斜めの切れ目２５４ａ，２５６ａがある環状の形状をなし、ＰＴＦＥ（フッ素樹脂）を主成分とする樹脂で形成される。ピストン２５０はシリンダー１４２に対向する外周面に環状溝２５０ａ，２５０ｂを有し、ピストンリング２５４，２５６は、それぞれ環状溝２５０ａ，２５０ｂ内に配置されている。
【００５０】
電動要素２０６はインバーター装置（図示せず）により最低回転数が１５ｒ／ｓｅｃで、最高回転数を７５ｒ／ｓｅｃとし、運転周波数比を５倍とした広範囲な運転を行う。
【００５１】
また、この密閉型圧縮機は温暖化係数の低い炭化水素系冷媒の代表的な冷媒であるＲ６００ａを圧縮する。Ｒ６００ａはＲ１３４ａに比べ密度が低いため、Ｒ１３４ａと同等の冷凍能力をＲ６００ａで得るためには、ガスの状態で約２倍の体積の冷媒を循環させる必要がある。従って、気筒容積を大きくするために、偏心軸２３４の偏心量やピストン２５０の外径は大きくなっている。
【００５２】
以上のように構成された密閉型圧縮機において以下その動作を説明する。
【００５３】
電動要素２０６によりクランクシャフト２３０が回転し、偏心軸２３４の偏心運動が連結手段１５２により、ピストン２５０の往復運動に変換される。このピストン２５０の往復運動に伴って、冷媒ガスが冷却システム（図示せず）から吸入管１７６を通して密閉容器１０２内に導かれ、吸入マフラー１６６を介してシリンダー１４２内に吸入され、シリンダー１４２内で連続して圧縮され、吐出管１７８より冷却システムへ再び吐き出される。
【００５４】
この際、背景技術でも説明したように、ピストン２５０の往復運動の反作用として、不平衡な振動エネルギーが発生し、この振動エネルギーをバランスウェイト２３８によって打ち消しているものの完全に打ち消すことは不可能であり、不釣合いが依然として残る。
【００５５】
この不釣合い分が加振力として電動圧縮要素２１０に加わり、電動圧縮要素２１０、密閉容器１０２の振動を引き起こす。この加振力の大きさは、この不釣合い分のピストン２５０の質量と加速度の積に等しい。
【００５６】
ところが、本実施の形態のピストン２５０はＰＢＴ、ＰＰＳ、ＰＥＥＫなど比重が１．３〜２程度の樹脂で形成されており、鉄に比べ比重が概ね１／４程度であり、ピストン２５０の軽量化が可能である。さらに、ピストン２５０を発泡成形することにより、ピストン２５０が２０％程度軽量化することが可能となる。しかも、超臨界発泡成形プロセスにより形成される気泡２５１は、気泡径が１〜５０マイクロメートルと小さいので、比較的肉厚が薄い部分でも気泡が発生し、効果的に軽量化が可能である。
【００５７】
この結果、ピストン２５０の強度を考慮して肉厚を大きくしても、鉄を用いた場合に比べてピストン２５０の質量を約３０％に軽量化することができ、往復運動による加振力も約３０％に低下する。
【００５８】
図５は、運転周波数を変化させたときの振動特性の実測値を示している。図５において、横軸は運転周波数、縦軸は密閉容器のピストン往復方向の振幅を示している。また、破線で示す従来の密閉型圧縮機は鉄製のピストンを用いており、実線で示す本発明による密閉型圧縮機のピストンは樹脂を用いており、ともにＲ６００ａ用の同一諸元、即ち同一のピストンの外径、偏心軸２３４の偏心量で比較している。
【００５９】
図５の結果から、本発明による密閉式圧縮機の振動は従来に比べ概ね半減し、運転周波数１５Ｈｚでも約５０マイクロメートルと実用上問題ない程度まで低減されていることを実験で確認している。
【００６０】
なお、既に説明したように冷媒にＲ６００ａを用いた場合、Ｒ１３４ａに比べて、ピストン２５０の外径や偏心軸２３４の偏心量が大きくなるので、ピストン２５０の質量や加速度が大きくなり、ピストン２５０の往復運動の反作用として作用する加振力も大きくなり、振動が大きくなりやすい。
【００６１】
しかしながら、ピストン２５０の軽量化による振動低減の効果はＲ６００ａ冷媒を用いた場合に顕著であり、２０ｒ／ｓｅｃ未満といった非常に低い周波数においても、ピストン２５０の軽量化により加振力を小さくすることで、振動を小さくすることができる。
【００６２】
さらに、超臨界発泡成形においては、溶融した樹脂に浸透性の高い超臨界状態の窒素や炭酸ガスを注入するので、金型内での溶融樹脂の流動性が向上する。そして、流動性が向上することで成型時の圧力や温度を低くすることができ、成型品に発生する応力が小さくなるため、金型から取り出した後の変形（ソリ）を防止できる。さらに、気泡２５１の成形圧力により樹脂材料は金型に押し付けられて固まり、樹脂が金型から縮んで固まることを防止できるため、樹脂の表面に凹みができるヒケを防止でき寸法精度が向上し、歩留まりが良くなるので生産性が向上する。
【００６３】
また、ピストン２５０に用いられる樹脂の線膨張係数は３〜１５×１０-5／Ｋ程度であるのに対して、シリンダー１４２に用いられる金属の線膨張係数は、アルミで２．３×１０-5／Ｋ、鉄で１．２×１０-5／Ｋ程度であり、ピストン２５０の線膨張係数の方がシリンダー１４２の線膨張係数より一般に大きくなる。即ち、温度が高くなるほどピストン２５０の方がシリンダー１４２よりも膨張量が大きく、ピストン２５０とシリンダー１４２の半径方向の隙間は小さくなる。
【００６４】
そのため、最も高温になる運転条件でも、ピストン２５０とシリンダー１４２の半径方向の隙間を確保すると、冷時において、ピストンが金属製の場合よりも大きな半径方向の隙間を設けておく必要がある。
【００６５】
ピストン２５０とシリンダー１４２の半径方向の隙間が大きい場合、シリンダー１４２内から圧縮した冷媒ガスがピストン２５０背面の密閉容器１０２内空間に漏れて性能が低下するが、ピストンリング２５４，２５６を用いることで、シリンダー１４２とピストン２５０の間の漏れを防止し、性能の低下を防止することができる。
【００６６】
以下、ピストンリングの動作・作用について、詳細に説明する。
【００６７】
ピストン２５０の外径はシリンダー１４２に対して小さめであるのに対して、ピストンリング２５４，２５６の外径はシリンダー１４２の内径とほぼ同じか、シリンダー１４２の内径に対して押し付け力が働くようにシリンダー１４２の内径よりやや大きいものが選択される。そして、シリンダー１４２内では冷媒ガスを圧縮しているため、シリンダー１４２内の圧力はピストン２５０の背面側よりも高いので、ピストンリング２５４，２５６には図３の白矢印で示すように冷媒ガスの圧力による押し付け力が作用し、シリンダー１４２壁面とピストン２５０の環状溝２５０ａ，２５０ｂの壁面に押し付けられる。
【００６８】
さらに、ピストンリング２５４，２５６には斜めの切れ目２５４ａ，２５６ｂがあり、外径寸法が可変であるため、ピストンリング２５４，２５６自体の熱膨張の影響を受けずにシリンダー１４２に密着することができる。しかも、ピストンリング２５４，２５６には圧力による押し付け力が作用し、切れ目２５４ａ，２５６ｂも密着するので、切れ目からの漏れも防止できる。
【００６９】
従って、ピストンリング２５４，２５６により、シリンダー１４２とピストン２５０の半径方向の隙間は常に小さく保たれるため、シリンダー１４２内から密閉容器１０２内空間への冷媒ガスの漏れを少なくすることができ、性能の低下を防止できる。
【００７０】
さらに、シリンダー１４２の材料である鉄やアルミとの摩擦係数が、金属や他の樹脂に比べて約０．１程度と低いＰＴＦＥをピストンリング２５４，２５６の材料に用いることで、ピストンリング２５４，２５６とシリンダー１４２の間の摩擦係数が小さくなるので、ピストンリング２５４，２５６とシリンダー１４２間の摺動損失を小さくすることができ、効率が向上する。また、ピストンリング２５４，２５６は２００℃以上の耐熱性を有するため、冷媒ガスの圧縮や摺動の熱にも耐えることができ、信頼性を確保することができる。
【００７１】
さらに、ピストンリング２５４，２５６には、ガス圧縮による圧力やシリンダー１４２との摩擦力が作用するが、圧力も摩擦力も一行程中で変動するため、ピストンリング２５４，２５６とピストン２５０が接触と離脱を繰り返したり、局所的に接触荷重が大きくなったりして摩耗が起こりやすい状態になる可能性があるが、ＰＴＦＥのピストンリングを用いているので、金属製のピストンリングと樹脂製のピストン２５０が接触する場合に比べて硬さの差が小さいので、樹脂で形成されるピストン２５０の環状溝２５０ａ，２５０ｂの部分が一方的に摩耗することを防止することができる。
【００７２】
また、運転周波数の可変幅を１５〜７５ｒ／ｓｅｃと大きくとり、密閉型圧縮機の冷凍能力範囲を大とすることで、冷蔵庫等への適用時に使用負荷に適した冷凍能力を設定できるので省電力化が図れる。即ち、断熱性能の向上した近年の冷蔵庫筐体においては、安定運転時は少ない冷凍能力で筐体を冷却可能であるので、最低回転数の１５ｒ／ｓｅｃを用いることで、軸受部などの摺動速度が低くなり摺動損失を極端に小さくできるので、消費電力を低減することができるとともに、電源投入時や扉開閉、除霜後などのように一時的に発生する高い冷凍能力が必要な条件においては最高周波数の７５ｒ／ｓｅｃを用いることで負荷を乗り越えることができる。
【００７３】
以上のように、本実施の形態によれば、ピストンの軽量化により振動を低減でき、特に低速運転においても圧縮機の振動を低減することができる。
【００７４】
なお、本実施の形態では、ピストンリングを２個用いたが、ピストンリングを１個あるいは３個以上用いても良い。
【００７５】
（実施の形態２）
図６は本発明の実施の形態２による密閉型圧縮機の側面図である。
【００７６】
なお、実施の形態１と同一構成については、同一符号を付して詳細な説明を省略する。
【００７７】
図６において、密閉容器１０２内には、下方に配置された電動要素３０６と上方に配置された圧縮要素３０８を一体化した電動圧縮要素３１０が、サスペンションスプリング１１２を介して支持されて収容される。
【００７８】
ピストンリング３５４，３５６は、円周上の１箇所に例えば斜めの切れ目がある環状の形状をなし、ＰＥＥＫを主成分とする樹脂で形成され、それぞれピストン２５０の外周面に設けた環状溝２５０ａ，２５０ｂ内に配置されている。
【００７９】
以上のように構成された密閉型圧縮機において以下その動作を説明する。
【００８０】
ピストンリング３５４，３５６には、シリンダー１４２内の圧縮圧力とピストン２５０背面の圧力差により大きな荷重が作用し、ピストン２５０の環状溝２５０ａ，２５０ｂに押し付けられている。
【００８１】
ピストンリング３５４，３５６を、ＰＴＦＥに比べて許容面圧が５倍程度高く、耐摩耗性の高いＰＥＥＫとすることで、局所的に高い荷重が加わるピストンリングに用いた場合でも、長期信頼性を確保することができる。
【００８２】
また、ＰＥＥＫは２００℃以上の耐熱性を有し、冷媒ガスの圧縮や摺動による熱にも耐えるとともに、耐衝撃性、耐疲労性に優れているため、ピストンリングとして用いた場合、高い信頼性が得られる。
【００８３】
さらに、ＰＴＦＥは溶融粘度が高く、一般の射出成型で製造することができず、焼結成型という特殊な成型方法を用いる必要があるという難点があるが、ＰＥＥＫは溶融粘度が低く射出成型が可能であり、複雑な形状でも成型できるため、ＰＥＥＫを射出成型で製造することにより生産性を良好にすることができる。
【００８４】
さらに、グラファイトやＰＴＦＥなどの固体状の潤滑剤を配合したＰＥＥＫを用いることで、さらに摩擦係数が低くできるため、摺動面の摩耗を低減でき高い信頼性を得ることができるとともに、ピストンリング３５４，３５６とシリンダー１４２間の摺動損失を低減し高い効率を得ることができる。
【産業上の利用可能性】
【００８５】
以上のように、本発明にかかる密閉型圧縮機は、低速運転時の振動を低減することが可能となるので、冷凍ショーケース、除湿機エアーコンディショナーや自動販売機などに用いられる密閉型圧縮機等の用途にも適用できる。
【図面の簡単な説明】
【００８６】
【図１】本発明の実施の形態１における密閉型圧縮機の側面図
【図２】同実施の形態のピストンおよびピストンリングの分解斜視図
【図３】同実施の形態のピストンリングの要部断面図
【図４】同実施の形態のピストンの断面の拡大図
【図５】同実施の密閉型圧縮機の振幅の特性図
【図６】本発明の実施の形態２における密閉型圧縮機の側面図
【図７】従来の密閉型圧縮機の側面図
【図８】従来の密閉型圧縮機の振幅の特性図
【符号の説明】
【００８７】
１０２    密閉容器
１４０    シリンダーブロック
１４２    シリンダー
１５２    連結手段
２０６，３０６    電動要素
２０８，３０８    圧縮要素
２３０    クランクシャフト
２３２    主軸
２３４    偏心軸
２５０    ピストン
２５１    気泡
２５４，２５６，３５４，３５６    ピストンリング
【図１】
2005133684.tif 000003
【図２】
2005133684.tif 000004
【図３】
2005133684.tif 000005
【図４】
2005133684.tif 000006
【図５】
2005133684.tif 000007
【図６】
2005133684.tif 000008
【図７】
2005133684.tif 000009
【図８】
2005133684.tif 000010